(57)【特許請求の範囲】
【請求項１】
マンホールより挿入可能な大きさの長方形のプレートであって、該プレートはその中央部分が平面部であり、両側面部が平行な一対の側面山部ａ、ａ’を設けることにより両側面部がへの字型にし、該両側面部の先端部が既設管路内底部に接触するようにされた断面構造を有し、該プレートの中央の平面部の中央両側面端部に凹部ｄを設け、該凹部ｄと該中央両側面部の凹部ｄの片側上の側面部の一部とにより形成される間隙部ｃに増設管固定装置１１の固定手段１４を挿入固定し、該固定手段１４を該間隙部ｃより凹部ｄ側に移動させて増設管固定装置１１を解放することからなる増設管固定装置の連結手段構造部位３を有し、該プレートの中央平面部の一方の先端部に他のプレートと連結するための結合手、他の端部に他の連結プレートの結合手を挿入する挿入孔７及び該結合手と嵌合する嵌合孔８を有し、該プレートの四隅両側面の先端部が円弧状に形取りされた構造を有することからなる、増設管固定装置の既設管路内面へ設置のための連結プレート。
【請求項２】
結合手４は、連結プレート１から突出しており、その先端部に他の連結プレートの嵌合孔８に挿入する鉤部５を有し、その中央よりにはプレートの結合手挿入孔と同一の大きさの孔を有し、該孔を介してその上下に階段状の結合手固定手段６を設けたものからなるものである請求項１記載の連結プレート。
【請求項３】
増設管固定装置１１が増設管挿入孔１５を有する増設管保持手段１２、固定板１３及び固定板の先端部にあって固定装置を管路内に固定するための固定手段１４からなり、該固定手段１４が該固定板１３よりも長く、且つ増設管路内面円周の径よりも大きい径の曲面を有する板状体又は線状体からなり、連結手段構造部位３の間隙部ｃで固定されてなる請求項１記載の連結プレート。
【請求項４】
請求項１記載の連結プレート１の一つをマンホール内の管路底に導入し、増設管固定装置１１の結合手段１４を該連結プレートの所定の位置ｃ（間隙部ｃ）に取り付け、該増設管固定装置の増設管挿入孔１５に増設管１８を挿入固定し、連結プレート結合手側より管路内に該連結プレートを挿入し、次いで挿入された増設管の後頭部を次の増設管固定装置の増設管挿入孔に挿入固着し、該増設管固定装置を次の連結プレートに固定し、該次の連結プレートの結合手を先の連結プレートと嵌合し、Ｂ側（結合手側）より管路内に送り込む操作を繰り返し行い、次いで、増設管固定装置及び増設管を管路内の配置位置に導入確認後、一連の連結プレートをＡ例（他の結合手と連結する挿入孔及び嵌合孔のある例）方向に引っ張り、連結プレート１の間隙部ｃの位置で固定されている増設管固定装置１１の結合手段１４をｃ部よりｄ部に移動させ、増設管固定装置１１の固定手段１４をｄ部分で解放し、解放された増設管固定装置１１を増設管固定装置の固定手段１４のバネにより管路内面に該固定装置を増設管と共に管路内に固定し、次いで増設管固定装置１１の解放された離脱した連結プレートを管路内よりマンホールに引き戻し、一枚ずつマンホール内で取り外し回収することからなる、管路内に増設管固定装置及び増設管を固定固着することを特徴とする増設管の設置工法。
【発明の詳細な説明】
【０００１】
【発明の属する技術分野】
本発明は既設管路内面に増設管を設置するための増設管固定装置の連結のための連結プレートに関する。
【０００２】
【従来の技術】
従来より、既設の管路、特に埋設されている管路内面に別の管路やケーブルを増設する方法として、（１）ロボット工法（ケーブル敷設ロボットによる方法）、（２）サドル工法（人が入れる管路の中で手作業でサドルとよばれる取り付け具によって管壁面に管やケーブルを取り付ける方法）、（３）さや管工法（既存の管にさや管を入れて既存の管とさや管の間に管やケーブルを敷設する方法）、（４）引き流し工法（既存の管の中に管やケーブルを引き流して入れておく工法）等があるが、これらは例えば（１）の工法ではロボットが管路内を円滑に通過できなければ施工できない、（２）の工法では作業員が管路内に立ち入り安全に作業できる環境条件がいる、（３）の工法では既存の管の中にもう一本さや管と呼ばれる管を挿入しこの管と既存管の隙間に小管やケーブルと取り付ける工法で既存管の内径がかなり縮小されてしまう、（４）の工法では管路の中に管やケーブルを引き流して入れておく為下水道管の場合ゴミが引っ掛かるので清掃の問題や流下能力の低下問題、等の諸問題があった。そのため、本発明者は先にこれらの課題を解決できる既設管路内面への増設管固定装置及び増設管の固定装置工法を提案した（特願２００１−２１６０２８号）。
【０００３】
【発明が解決しようとする課題】
前記の増設管固定装置は図６に示される１つ以上の増設管挿入用孔が設けられた増設管保持手段、該保持手段の下面に設けられその両端の部位は既設管路内面側と接触し、該接触面は該既設管路内面と同一の曲面を有する薄板からなる固定板、該増設管保持手段と該固定板の間にあって、該増設管保持手段の下部にその一部が埋設され、固定板よりも長く且つ該増設管路内面円周の径よりも大きい径の曲面を有する板状又は線状物からなる固定手段からなることを特徴とする既設管路内面への増設管固定装置である。この増設管固定装置を既設管路内面に容易に且つスムーズに設置することのできる手段或いは装置の提案或いは開発が望まれるところであった。
【０００４】
【課題を解決するための手段】
本発明者は前記の課題を解決すべく鋭意研究の結果、マンホールより挿入可能の長方形のプレートの中央部に増設管固定装置を取り付け、このプレートを連結して既設管路内に増設管固定装置を埋設することにより、前記の課題が解決できることを見出し、本願発明に到達した。
即ち、本発明は（１）マンホールより挿入可能な大きさの長方形のプレートであって、該プレートはその中央部分が平面部であり、両側面部がへの字型に突起し、該両側面部の先端部が既設管路内底部に接触するようにされた断面構造を有し、該プレートの中央の平面部の中央両側面端部に増設管固定装置の連結手段構造部位を有し、該プレートの中央平面部の一方の先端部に他のプレートと連結するための結合手、他の端部に該結合手を挿入する挿入孔及び該結合手と嵌合する嵌合孔、該プレートの四隅両側面の先端部が円形に形取りされた構造を有する、増設管固定装置の既設管路内面へ設置のための連結プレート、（２）増設管固定装置の連結手段構造部位が取付け及び開放がワンタッチで可能な構造のものである（１）記載の連結プレート、（３）結合手が、その先端部に他の連結プレートの挿入孔に挿入する鉤部を有し、その中央よりにはプレートの嵌合孔と同一の大きさの孔を有し、該孔を介してその上下に階段状の結合手固定手段を設けたものからなるものである（１）記載の連結プレート、（４）増設管固定装置が増設管挿入用孔を有する増設管保持手段、固定板及び固定板の先端部にあって固定装置を管路内に固定するための固定手段からなるものである（１）又は（２）記載の連結プレート、（５）請求項１記載の連結プレートの一つをマンホール内の管路底に導入し、増設管固定装置を該連結プレートの所定の位置に取り付け、該増設管固定装置の増設管挿入孔に増設管を挿入固定し、連結プレート結合手側より管路内に該連結プレートを挿入し、次いで固定された増設管の後頭部を次の増設管固定装置の増設管挿入孔に挿入固着し、該増設管固定装置を次の連結プレートに固定し、該連結プレートの結合手を先の連結プレートと嵌合し、管路内に送り込む操作を繰り返し行い、管路内に増設管固定装置及び増設管を固定固着することを特徴とする増設管の設置工法、に関する。
【０００５】
本発明は既設管路（主に下水管）内面に１以上（単数或いは複数）の別の管路（ケーブル等設置のための管、増設管）を増設する増設管固定装置を用いて増設管を既設管路内に固定設置するための連結プレートである。
本発明の連結プレートについて以下に詳しく説明する。
図１は本発明の増設管固定装置の設置のための連結プレートの平面模式図であり、図２は本発明の連結プレートの端部断面模式図であり、図３は連結プレートの中央部の増設管固定装置の結合部位の構造模式図であり、図４は連結プレートの連結手の断面模式図であり、図５は本発明の連結プレートに増設管固定装置を取り付けた構造模式図であり、図６は増設管固定装置の構造模式図である。又、図７は、本発明の連結プレートに増設管固定装置及び増設管を装着した模式図である。図中１は連結プレート、２は連結プレートの平面部、３、３’は増設管固定装置の連結手段構造部位、４は連結プレート結合手、５は結合手の先端結合鉤部、６は結合手固定手段、７は結合手挿入孔、８は結合手先端部嵌合孔、９、９’はピン固定用孔、ａ、ａ’は連結プレートの側面山部、ｂ、ｂ’は側面端部、ｃは増設管固定装置の固定手段の取付位置、ｄは該固定手段の開放位置である。又、１１は増設管固定装置、１２は増設管保持手段、１３は固定板、１４は固定手段、１５は増設管挿入孔、１６は固定手段止め具、１７は固定板結合部、１８は増設管である。
本発明では既設管路、例えば地中に設けられている下水管等に、増設管、例えばケーブル（例えば光通信ケーブル、電線等）を収納する管等の１又はそれ以上の管（単数又は複数管）を増設するに当り、増設管を既設管路内面に容易に且つ確実に設置するための増設管固定装置の連結プレートであり、該連結プレートを用いた増設管固定工法である。
【０００６】
【発明の実施の形態】
図１に示すように、本発明の既設管路内面への増設管固定装置の連結プレートは長方形のプレートであり、マンホールより挿入可能な大きさを有する。該プレートは図２に示すような断面構造を有し、その中央部分が平板状の平面部を有し、その両側面部がへの字型に突起し、両側面の先端部が既設管路内面に接触するような構造を有する。該プレートの平面部２の中央両側面先端部分には増設管固定装置１１の固定手段の両先端部を取付ける連結手段構造部位３を有する。該連結手段構造部位３の構造は図３に示すようにｃの位置で増設管固定装置の固定手段が取り付け固定され、ｄの位置で該固定手段が開放される構造を備えている。
又連結プレートにはその一端に連結プレート結合手４を備え、その他の端部に結合手挿入孔７及び結合手先端部嵌合孔８を有する。
結合手４は図４に示すような断面構造を有し、該結合手４の先端部には他の連結プレートの結合手先端部嵌合孔８に挿入されて結合する鉤部５を有し、その中間部には連結プレートの結合手挿入孔７に挿入嵌合するための結合手固定手段６を有し、結合手４と別の連結プレートを結合した場合の補助結合手段として割ピンを差し込んでおく孔９、９’が設けてある。この結合手４は他の連結プレートと連結結合させ、多数枚の連結した連結プレートとする。図５で示すように連結プレートは、所定の位置に増設管固定装置１１を設置し、これを管路内の要所に搬送設定する治具となるものである。
前記の通り、図５に示す通り、本発明の連結プレート１はその所定の位置に増設管固定装置１１が取り付けられ、これを多数連結して既設管路内面に１以上の増設管を増設するものである。増設管固定装置１１はその固定手段１４を介して連結プレートの中央側面部に設けられている該固定装置の連結手段構造部位３に取り付けられる。増設管固定装置１１は、図６に示すように、１つ以上の増設管挿入用孔１５が設けられた増設管保持手段１２を有し、該増設管保持手段１２の下部に固定板１３と固定手段１４が設けられている。固定板１３は保持手段１２の両端部よりも大きくはみ出しており、このはみ出した部位は該既設管路内面円周の径と同一の径を有し、該円周の約１／５〜１／３の長さに亘る金属の薄板からなるものである。固定手段１４は該増設管保持手段１２と該固定板１３の間にあって、該増設管保持手段にその一部が埋設され、該固定板１３よりも長く、増設管保持手段１２に近い部位は管路内面の円周の径と同一であるが、その両側の先端部に行くにしたがって管路内面の円周の径よりも大きく広がった径に設計された板状体又は線状体からなるものである。一方、連結プレートには該連結プレートの中央両側面部の凹部ｄ及び該凹部ｄと側面部の一部とにより形成された間隙部ｃとからなる連結手段構造部位３を有し、該連結手段構造部位３の間隙部ｃに増設管固定装置１１の固定手段１４の先端を嵌合し、連結プレート１に増設管固定装置１１を取付ける。増設管固定装置１１の増設管挿入孔１５に増設管１８を挿入し、この増設管固定装置を取付けた連結プレートを管路内に導入し、管路内面に増設管固定装置１１を配置した後、増設管固定装置の固定手段１４の先端部を間隙部ｃより凹部ｄに移動させて増設管固定装置１１を管路内面に解放固定固着するものである。増設管固定装置１１は前記固定手段の両端の径の設計によるその反発力により、管路内面に固定固着され、固定手段１４の先端部に固定手段止め具１６を設けることにより、更に一層強固に増設管固定装置を管路内面に固定固着させることができる。固定手段１４は反発性のある金属又は合金からなるものであり、例えばＪＩＳばね規格のある規格番号（ＪＩＳ  Ｇ３５０２）規格名称（ＳＷＲＳ  ６２Ａ、Ｂ−８７Ａ、Ｂ）の金属を使用することによりその反発力により増設管固定装置１１は管路内面に固定されるのである。
又増設管保持手段１２は増設管を挿入保持するためのものだけでなく、増設管挿入孔１５の中心部に突起物を設け、増設管挿入孔１５の両側より増設管を挿入して増設管のジョイントが可能となる突起物である挿入管止め具が設けられ、これにより、増設管の挿入保持と共に、増設管の連結及び固定が容易となるようにされている。
本発明の連結プレート１は金属製又はプラスチック製等であることができ、その大きさはマンホールより挿入して組立て使用するものであるので、マンホールの径の大きさより小さいものが好ましい。連結プレートは図１に示すように長方形の形状のものであるが、その横の長さが、例えば好ましくは７５０ｍｍ、縦の全体の長さは管路内面や増設管固定装置の大きさより適宜選択されるが、例えば１４０ｍｍである。このとき中央平面部の縦の長さは約７０ｍｍ、側面の山部ａからａ’までの長さは約９５ｍｍであり、連結プレートの側面の底辺部ｂから山部ａ又はｂ’からａ’までの高さは約２２．５ｍｍのように構成されている。又側面底辺部ｂ及びｂ’の４つの隅は丸く形状されている。これにより、該連結プレートを管路内面に円滑に押し出したり、引いたりすることができる。連結プレートの厚みは適宜に採用されるが、金属製のものでは約２ｍｍのものである。連結プレート結合手４の大きさは適宜に選択採用されるが、前記の大きさの連結プレートの場合、その横の全長が１４１ｍｍ、連結プレートとの連結部の長さが３０ｍｍである。又縦の長さは約５０ｍｍのものであり、結合手固定手段６は結合手４に設けられ、該結合手４に設けられている連結プレートの結合手挿入孔７と同一の大きさの孔の一端に階段状に上段と下段とからなる構造からなるものである。その段差は約４．５ｍｍであり、その上段の下面が結合手の上面と固着固定されており、該固定手段６の上部の大きさは横が約１０ｍｍ、その下段は孔の下に位置し、その大きさは該孔とは同一の大きさであり、その横が約２８ｍｍであり、縦の大きさは約３８ｍｍである。又連結プレートの他の端には、結合手段挿入孔７及び結合手先端部の鉤部と嵌合する嵌合孔８が設けられているが、該結合手段挿入孔７の大きさは横が約３０ｍｍ、縦が約４０ｍｍであり、又、結合手先端部の鉤部と嵌合する嵌合孔８の大きさは横が約３．５ｍｍ、縦が約５２ｍｍに設計されている。又、このプレートで使用する増設管の長さは１５００ｍｍであり、そのプレートの縦の長さが７５０ｍｍでありその中央部に増設管固定装置の固定手段の取り付け位置ｃが設定されている。尚、この寸法は現況下水道既設管路第１号マンホール直径９００ｍｍ、管路径φ２００ｍｍ下水道管路をモデルとした寸法であり、マンホールの大きさ、管路の寸法が変わればそれに応じた寸法に変化させるのは言うまでもない。
【０００７】
本発明の連結プレートを使用して、既設管路内面に増設管を固定設置する工法について説明する。
連結プレート１の一つをマンホール内の管路底に導入し、図５に示すように増設管固定装置１１の固定手段１４を連結プレートの間隙部ｃ（増設管固定装置の固定手段の取り付け位置ｃ）に固定し、取付け、該増設管固定装置の増設管挿入孔１５の中央部の孔に増設管１８を図５のＡ側より取り付け接着固定し、固定終了後、図５のＢ側、即ち、連結プレート結合手側より管路内に該連結プレートを挿入し、増設管固定装置１１に挿入された増設管１８の後頭部がマンホールの中央部に来た時、次の増設管固定装置１１に、該増設管１８の後頭部を図５のＢ側に固定し、該増設管固定装置１１の固定手段１４を次の連結プレートの間隙部ｃに嵌合して固定し、該連結プレート１の連結プレート結合手４を先の連結プレートと嵌合し、Ｂ側方向に管路部まで送り込む、この操作を繰り返して行なうことにより、管路内に図７に示すような連結プレート１と共に増設管１８を装着した増設管固定装置１１を導入配置する。増設管固定装置１１の管路内の配置位置を確認後、一連の連結プレートをＡ側（結合手と連結する挿入孔及び嵌合孔のある側）方向に引っ張ると、連結プレート１の間隙部ｃの位置で固定されている増設管固定装置１１の固定手段１４は間隙部ｃより凹部ｄに移動し、該増設管固定装置１１の固定手段１４は凹部ｄではその側面は開放されているので連結プレートより解放される。固定手段１４は〔０００６〕に記載の通り、その両側の先端部は管路内面の円周よりも大きく広がった径に設計された板状体又は線状体であるので、その反発力により増設管固定装置１１は管路内に増設管１８と共に固定される。その際、該増設管固定装置１１はその固定手段１４の先端部にある固定手段止め具１６により管路内面に強固に固定される。該固定手段止め具１６は固定手段１４と同一の材質からなるものである。増設管固定装置１１が解放され離脱した後の連結プレート１はマンホール内で一枚ずつ取り外し回収する。
なお、本発明の連結プレート１はその連結の際、各連結プレート間の連結の間隔を少し開けておくことにより、そのズレにより、取付管等があることにより、湾曲になる場合も本連結プレートを用いて増設管の増設設工を可能とすることができるのである。
【０００８】
【発明の効果】
本発明の連結プレートはマンホールより導入可能のものであり、マンホールより導入した後、これに増設管固定装置を取付け、多数連結して、増設管を既設管路内面に増設するものであり、該増設管固定装置と増設管のバランスを取りながら、該固定装置の中心位置を決め確実に行なうことができるものであり、その際連結プレートと増設管固定装置の取付け及び開放がワンタッチ構造で出来る構造となっていること、連結プレートの下部がそり状であって、滑りやすく、押しやすくまた引きやすいこと、又その中央平面部には調査カメラを自由に移動させることができるため、それにより増設管の設置に当り位置決め等が容易であること等により、極めて容易に、確実且つ安全に増設管を既設管路内面に固着固定できるという優れた効果を奏するものである。
【図面の簡単な説明】
【図１】本発明の増設管固定装置の既設管路内面へ設置のための連結プレートの平面模式図である。
【図２】本発明の連結プレートの端部断面模式図である。
【図３】本発明の連結プレートの中央部の増設管固定装置を取付けるための結合部位の構造模式図である。
【図４】本発明の連結プレートの結合手の断面構造模式図である。
【図５】本発明の連結プレートに増設管固定装置を取付けた常態の構造模式図である。
【図６】増設管固定装置の構造模式図である。
【図７】本発明の連結プレートに増設管固定装置及び増設管を装着した模式図である。
【符号の説明】
１．連結プレート
２．連結プレートの平面部
３、３’．増設管固定装置の連結手段構造部位
４．連結プレート結合手
５．結合手の先端結合鉤部
６．結合手固定手段
７．結合手挿入孔
８．結合手先端部嵌合孔
９、９．ピン固定用孔
ａ、ａ’．連結プレートの側面山部
ｂ、ｂ’．側面端部
ｃ．増設管固定装置の固定手段の取付位置
ｄ．該固定手段の開放位置
１１．増設管固定装置
１２．増設管保持手段
１３．固定板
１４．固定手段
１５．増設管挿入孔
１６．固定手段止め具
１７．固定板結合部
１８．増設管
【図１】
0004008705.tif 000002
【図２】
0004008705.tif 000003
【図３】
0004008705.tif 000004
【図４】
0004008705.tif 000005
【図５】
0004008705.tif 000006
【図６】
0004008705.tif 000007
【図７】
0004008705.tif 000008